(57)【要約】【課題】多心電線の各心線に接続した各端子を少ない工数で作業性良く確実に一括してコネクタハウジング内に挿入する。【解決手段】多心電線１の各心線３を挿通させる各心線挿通部１１，１６と、各心線に接続された各端子７をコネクタハウジング８の各端子収容室のピッチと同じピッチで保持する各端子保持部１２，１７とを連通して備える一括ピッチ揃え具６，１４を用いて、各心線挿通部内に各心線を挿通させ、各端子保持部内に各端子を保持させ、各端子を各心線ごと同時に前進させて各端子収容室内に挿入する。各心線挿通部内に各心線３を挿通させた後、各心線を後退させて各端子７を各端子保持部で保持させる。各心線挿通部１６と各端子保持部１７とが連通した溝部であり、各端子保持部の開口端に端子保持用の鍔部２１，２２が形成され、溝部に対して該鍔部から前記各心線を着脱する。【選択図】図３
2010003430.tif 000002
【特許請求の範囲】
【請求項１】
多心電線の各心線を挿通させる各心線挿通部と、各心線に接続された各端子をコネクタハウジングの各端子収容室のピッチと同じピッチで保持する各端子保持部とを連通して備える一括ピッチ揃え具を用いて、各心線挿通部内に各心線を挿通させ、各端子保持部内に各端子を保持させ、各端子を各心線ごと同時に前進させて各端子収容室内に挿入することを特徴とする多心電線のコネクタ嵌め方法。
【請求項２】
前記各心線挿通部内に前記各心線を挿通させた後、各心線を後退させて前記各端子を前記各端子保持部で保持させることを特徴とする請求項１記載の多心電線のコネクタ嵌め方法。
【請求項３】
前記一括ピッチ揃え具が、前記多心電線の絶縁シースを収容する絶縁シース挿通部を前記各心線挿通部に連通して有し、該絶縁シース挿通部に沿って該絶縁シースを前記各端子と共に進退させることを特徴とする請求項１又は２記載の多心電線のコネクタ嵌め方法。
【請求項４】
前記各心線挿通部と各端子保持部とが連通した孔部であり、且つ前記一括ピッチ揃え具が分割可能であり、該孔部を開いた状態で前記多心電線を着脱することを特徴とする請求項１〜３の何れかに記載の多心電線のコネクタ嵌め方法。
【請求項５】
前記各心線挿通部と各端子保持部とが連通した溝部であり、各端子保持部の開口端に端子保持用の鍔部が形成され、該溝部に対して該鍔部から前記各心線を着脱することを特徴とする請求項１〜３の何れかに記載の多心電線のコネクタ嵌め方法。
【請求項６】
前記各端子を前記コネクタハウジングの各端子収容室に挿入した後、前記各心線ごとに各弾性部材で付勢された各押圧部を有する張力確認具で各心線を径方向に同時に押圧して各端子の係止状態を確認することを特徴とする請求項１〜５の何れかに記載の多心電線のコネクタ嵌め方法。
【発明の詳細な説明】
【技術分野】
【０００１】
本発明は、一括ピッチ揃え具を用いて多心電線の各心線を同時にコネクタハウジング内に挿入する多心電線のコネクタ嵌め方法に関するものである。
【背景技術】
【０００２】
図６（ａ）（ｂ）は、従来の多心電線のコネクタ嵌め方法の一形態を示すものである。
【０００３】
この方法は、多心電線１の外側の絶縁シース２を剥いで複数本の心線３を露出させ、各心線３の先端に端子７を圧着接続した後、各心線３ごとに各端子７を一本ずつ絶縁樹脂製のコネクタハウジング８の各端子収容室に手作業で挿入するものである。
【０００４】
各心線３は導体部とそれを覆う絶縁被覆部とで構成され、各心線３の先端部の絶縁被覆を皮剥きした後、各端子７を圧着する。端子７の圧着部は導体部と被覆部とを同時に加締める。本例の心線３は一端側から赤、黄、緑、白、黒等に色分けされ、他端の心線３1はアース用ドレイン線で外周に導体被覆を有する。この多心電線１はシールド多心電線であり、絶縁シース２内に各心線３を並列に配置して扁平に形成されている。絶縁シース２内に各心線３を束状に配置して断面円形の絶縁シース２を有するシールド多心電線の場合は、絶縁シース２と各心線３との間に編組や銅箔等のシールド部材が配置される。
【０００５】
図７は、従来の多心電線のコネクタ嵌め方法の他の形態を示すものである（特許文献１参照）。
【０００６】
この方法は、多心電線４１の並列に露出した各心線４２を合成樹脂製のカバー４３の並列な各孔部４４に挿通させ、各心線４２の先端部に端子４５を圧着した後、合成樹脂製のコネクタハウジング４６の並列な各端子収容室４７内に挿入し（符号４７は端子収容室の相手端子挿入口である前部開口を示す）、コネクタハウジング４６をカバー４３に係止爪４８で係止させるものである。
【０００７】
多心電線４１の各心線４２は絶縁樹脂製の絶縁シース４１内にモールド成形で並列に固定されている。カバー４３は各孔部４４側の枠部と下半部とを有する主体部４９と、上側の副体部（蓋部）５０とで構成されている。
【特許文献１】特開２００１−１３５４０３号公報（図２）
【発明の開示】
【発明が解決しようとする課題】
【０００８】
しかしながら、上記従来の図６のコネクタ嵌め方法にあっては、各心線３に接続された各端子７を一つずつコネクタハウジング８の端子収容室に挿入するために、コネクタ嵌めすなわち端子挿入に多くの工数を必要とするという問題があった。また、絶縁シース２からの各心線３の露出長さＬを長く設定しないと、特に一つ目以降（二つ目から）の端子７をコネクタハウジング８内に挿入し難い（心線３に弛みがないと端子７を水平に端子収容室に位置合わせできない）ために、絶縁シース２を長目に皮剥きする作業が面倒であり、特にシールド多心電線１の場合に、編組等のシールド部材から心線３が長く露出してシールド遮蔽性が低下したり、アース用ドレイン線３1の導体被覆に絶縁テープ巻きしたり絶縁チューブを被せる作業が面倒であるという問題があった。
【０００９】
また、上記従来の図７のコネクタ嵌め方法にあっては、カバー４３で各心線４２を支持した状態で各端子４５をコネクタハウジング４６内に同時に挿入する際に、各端子４５の位置がばらついて挿入作業性が悪いという問題があった。
【００１０】
本発明は、上記した点に鑑み、多心電線の各心線に接続した各端子を少ない工数で作業性良く確実に一括してコネクタハウジング内に挿入することができ、それに加えてシールド多心電線における上記諸問題を解消することのできる多心電線のコネクタ嵌め方法を提供することを目的とする。
【課題を解決するための手段】
【００１１】
上記目的を達成するために、本発明の請求項１に係る多心電線のコネクタ嵌め方法は、多心電線の各心線を挿通させる各心線挿通部と、各心線に接続された各端子をコネクタハウジングの各端子収容室のピッチと同じピッチで保持する各端子保持部とを連通して備える一括ピッチ揃え具を用いて、各心線挿通部内に各心線を挿通させ、各端子保持部内に各端子を保持させ、各端子を各心線ごと同時に前進させて各端子収容室内に挿入することを特徴とする。
【００１２】
上記構成により、一括ピッチ揃え具の各心線挿通部内に各心線が摺接（スライド）自在に挿通され、各端子保持部内に各端子がコネクタハウジングの各端子収容室と同じピッチで位置決め保持され、その状態から例えば多心電線の絶縁シース部を前方に押すことで、各端子が各心線ごと前進してコネクタハウジング内に同時に挿入される。各端子の同時挿入時に各心線は平行に近接して位置するから、多心電線の絶縁シースからの各心線の露出長さが短縮される。
【００１３】
請求項２に係る多心電線のコネクタ嵌め方法は、請求項１記載の多心電線のコネクタ嵌め方法において、前記各心線挿通部内に前記各心線を挿通させた後、各心線を後退させて前記各端子を前記各端子保持部で保持させることを特徴とする。
【００１４】
上記構成により、一括ピッチ揃え具の各心線挿通部内に各心線が容易に挿通され、各心線を後退させることで、各心線に続く各端子が各端子保持部内に作業性良く容易に挿入保持される。例えば各端子を各心線に一括圧着ないし一括圧接で接続させた後、各心線を後退させて各端子を各端子保持部内に挿入保持させることができる。各心線の後退操作は例えば多心電線の絶縁シース部を後方に引くことで行われる。
【００１５】
請求項３に係る多心電線のコネクタ嵌め方法は、請求項１又は２記載の多心電線のコネクタ嵌め方法において、前記一括ピッチ揃え具が、前記多心電線の絶縁シースを収容する絶縁シース挿通部を前記各心線挿通部に連通して有し、該絶縁シース挿通部に沿って該絶縁シースを前記各端子と共に進退させることを特徴とする。
【００１６】
上記構成により、一括ピッチ揃え具の絶縁シース挿通部に多心電線の絶縁シースを係合させることで、絶縁シースからの各心線の突出長さすなわち各心線の先端側の各端子の長手方向位置が正確に規定され、その状態から各端子を後退位置決め及び前進させることで、コネクタハウジング内への各端子の挿入が規定のストロークで正確に行われる。
【００１７】
請求項４に係る多心電線のコネクタ嵌め方法は、請求項１〜３の何れかに記載の多心電線のコネクタ嵌め方法において、前記各心線挿通部と各端子保持部とが連通した孔部であり、且つ前記一括ピッチ揃え具が分割可能であり、該孔部を開いた状態で前記多心電線を着脱することを特徴とする。
【００１８】
上記構成により、一括ピッチ揃え具の各心線挿通孔や各端子保持孔に各心線や各端子が抜け落ちなく確実に保持される。一括ピッチ揃え具は各心線挿通孔や各端子保持孔から分割される。絶縁シース挿通部は孔部でも溝部でもよく、孔部の場合は孔部の中央から分割する。
【００１９】
請求項５に係る多心電線のコネクタ嵌め方法は、前記各心線挿通部と各端子保持部１７とが連通した溝部であり、各端子保持部の開口端に端子保持用の鍔部２１，２２が形成され、該溝部に対して該鍔部から前記各心線を着脱することを特徴とする請求項１〜３の何れかに記載の多心電線のコネクタ嵌め方法。
【００２０】
上記構成により、一括ピッチ揃え具の各鍔部に沿って（溝部の隔壁と鍔部との間の隙間から）各溝部に各心線を圧入気味に挿入し、各心線を後退させて各端子を各端子保持部内で鍔部によって脱落防止する。コネクタハウジングへの端子挿入後は各溝部から各心線を径方向に離脱させる。
【００２１】
請求項６に係る多心電線のコネクタ嵌め方法は、請求項１〜５の何れかに記載の多心電線のコネクタ嵌め方法において、前記各端子を前記コネクタハウジングの各端子収容室に挿入した後、前記各心線ごとに各弾性部材で付勢された各押圧部を有する張力確認具で各心線を径方向に同時に押圧して各端子の係止状態を確認することを特徴とする。
【００２２】
上記構成により、コネクタハウジングへの端子の不完全挿入（不完全係止）がある場合は、その端子に続く心線のみが弾性部材の付勢力でコネクタハウジングから後方に引き出されて（弾性部材の付勢力で押圧部は心線と共に大きく変位して）、端子挿入異常が検知される。
【発明の効果】
【００２３】
請求項１記載の発明によれば、各端子を一括ピッチ揃え具の端子保持部内で正確に位置決めした状態でコネクタハウジング内に同時に挿入することで、コネクタハウジングへの端子挿入の信頼性が高まると共に、端子挿入に要する工数が低減され、端子付き多心電線の製造コストが低減される。また、各心線の露出長さを従来よりも短くすることができるから、シールド多心電線の心線の露出に伴うシールド性の低下やアース用ドレーン線の外周の絶縁処理作業が軽減ないし解消される。
【００２４】
請求項２記載の発明によれば、各端子を予め一括ピッチ揃え具の各端子保持部内に保持させるよりも、各心線を各心線挿通部内に挿通させて後退させる方が、各端子を作業性良く容易に各端子保持部内に保持させることができる。
【００２５】
請求項３記載の発明によれば、一括ピッチ揃え具で絶縁シースからの各心線の突出長さすなわち各端子の長手方向位置を正確に規定して、コネクタハウジング内への各端子の挿入を規定のストロークで正確に行わせることができる。
【００２６】
請求項４記載の発明によれば、一括ピッチ揃え具の各孔部に各心線や各端子を脱落なく確実に保持させることができ、また、一括ピッチ揃え具を分割して各心線や各端子の着脱を作業性良く容易に行うことができる。
【００２７】
請求項５記載の発明によれば、一括ピッチ揃え具の溝部に対して各心線を容易に着脱することができ、しかも孔部を形成する場合に較べて一括ピッチ揃え具を厚み方向にコンパクト化することができる。
【００２８】
請求項６記載の発明によれば、コネクタハウジングへの複数の端子の係止確認作業を短時間で効率良く且つ容易に且つ確実に行うことができる。
【発明を実施するための最良の形態】
【００２９】
図１〜図２は、本発明に係る多心電線のコネクタ嵌め方法の第一の実施形態を示すものである。
【００３０】
このコネクタ嵌め方法は、図１（ａ）の如く、多心電線１の絶縁シース２を所要長さに皮剥きして各心線３を並列に露出させ、図１（ｂ）の如く、各心線３を一括ピッチ揃え具４内に挿通させて位置決めし、その状態で各心線３の先端部の絶縁被覆４を皮剥きして各導体５を露出させ、図１（ｂ）の如く一括ピッチ揃え具６から各心線３を突出させた状態で、図１（ｃ）の如く、各心線３の先端部に各端子７を圧着接続させる。
【００３１】
端子圧着時に各心線３は一括ピッチ揃え具６から前方に突出しており、端子圧着後に図１（ｃ）の鎖線の如く各端子７の後部が一括ピッチ揃え具６に保持される状態まで、絶縁シース部２を矢印Ａの如く後方に引く（例えば一方の手で一括ピッチ揃え具６を固定し、他方の手で絶縁シース部２を後方に引く）。
【００３２】
この状態で既存の絶縁樹脂製のコネクタハウジング８（図６）の並列な各端子収容室（図示せず）の位置と各端子７の位置とが等ピッチで整合しており、作業者がコネクタハウジング８の各端子収容室に各端子７の前半側を初期挿入させた状態で他方の手で絶縁シース部２を矢印Ｂの如く前方に押すことで、各端子７とそれに続く各心線３が一括ピッチ揃え具６から前方に押し出されて、各端子７がコネクタハウジング内に完全挿入される。各端子７は各端子収容室内の可撓性の係止ランス（図示せず）で後抜けなく係止される。
【００３３】
作業者は一方の手でコネクタハウジング８と一括ピッチ揃え具６とを同時に把持する。コネクタハウジング８がコネクタ受け具等（図示せず）に固定されている場合はその必要はない。端子７の初期挿入時に一括ピッチ揃え具６の前端６ａをコネクタハウジング８の後端（端子収容室の後部開口端）８ａに当接させてもよい。作業者に依らずに自動機（図示せず）で一括ピッチ揃え具６の固定と絶縁シース部２の後端及び前進操作を行わせることも可能である。これらは後述の第二の実施形態においても同様である。
【００３４】
図２に一括ピッチ揃え具の一形態を示す如く、この一括ピッチ揃え具６は、アルミ等の金属製ないし合成樹脂製の矩形板状の揃え具本体９に、多心電線１のフラットな絶縁シース２を挿通係合させる後部中央の断面平型の大径（幅広）な絶縁シース挿通孔（絶縁シース挿通部）１０と、絶縁シース挿通孔１０に続いて各心線３を等ピッチで並列に挿通係合させる複数の等ピッチで並列な断面円形の小径な心線挿通孔（心線挿通部）１１と、揃え具本体９の前部側において小径な各心線挿通孔１１に同心に連通して形成された矩形状の各端子保持孔（端子保持部）１２とを有して構成される。
【００３５】
各端子保持孔１２のピッチＰはコネクタハウジング８（図１）の横一列の各端子収容室のピッチと同一に設定されている。端子保持孔１２の縦横の寸法は端子７（図１）の後半部の縦横の寸法よりも若干大きく設定され、端子７を後端７ａ側から端子保持孔１２にスムーズに挿入可能となっている。端子保持孔１２は心線挿通孔１１よりも大径（幅広）に形成され、端子保持孔１２の底面１２ａの中央に心線挿通孔１１が開口している。
【００３６】
雌端子７（図１）の場合は、端子保持孔１１で端子７の後端７ａから前半の矩形筒状の電気接触部の一部（後部）までを保持させることが位置決め性を高める上で好ましい。雄端子の場合は、端子の後端から長手方向中間の矩形箱状部（図示せず）までを保持させることが好ましい。雄・雌両端子において、短い端子保持孔１２で端子の後部の電線圧着部（図示せず）のみを保持させることも可能である。電線圧着部は前後各一対の圧着片で構成される。
【００３７】
一括ピッチ揃え具６は板厚方向に重なった（接合した）二枚の分割揃え具本体９で構成され、両分割揃え具本体９はクランプ状に開閉可能で、係止突起と係合枠片等の係止手段（図示せず）で閉止状態が維持される。開閉形態はヒンジ回動式であってもよく、上下に完全分割式であってもよい。図２（ａ）に両分割揃え具本体９の分割面を符号１３で示す。
【００３８】
左右両側の各心線挿通孔１１は、絶縁シース挿通孔１０に続く後半の湾曲状部分１１ａと前半の平行な真直部分１１ｂとで構成されている。中央の心線挿通孔１１は絶縁シース挿通孔１０とほぼ同心な真直部のみで構成されている。心線挿通孔１１の内径は心線３の外径よりも若干大きく設定され、心線３が心線挿通孔１１に沿ってスムーズに進退可能である。絶縁シース部分２がフラットでなく断面円形の多心電線１を用いる場合は、中央の絶縁シース挿通孔１０をフラット（断面長円形）ではなく断面円形に形成する。
【００３９】
両分割揃え具本体９を開いた状態で、各心線挿通孔１１を成す断面半円形の溝部１１ｃに各心線３を係合させ、絶縁シース挿通孔１０を成す断面平型（長円形）の溝部（図示せず）に絶縁シース部２を係合させる。フラットでなく断面円形の多心電線１を用いる場合は、絶縁シース挿通孔１０を成す溝部は断面半円形に形成される。
【００４０】
絶縁シース挿通孔１０に絶縁シース２を係合させることで、心線挿通孔１１内で絶縁シース２からの各心線３の突出長さＬが正確に規定され、圧着後の端子７の位置が正確に規定される。端子保持孔１２は上下一対のコの字状の溝部１２ｂが接合して構成される。
【００４１】
なお、図２の一括ピッチ揃え具６において、心線挿通孔１１に代えてスリットで開口した心線挿通溝（図示せず）を設け、絶縁シース挿通孔１０に代えてスリットで開口した絶縁シース挿通溝（図示せず）を設け、端子保持孔１２に代えてスリット開口した端子保持溝（図示せず）を設けることも可能である。
【００４２】
この場合、一括ピッチ揃え具６を、心線３や端子１１を挟持（保持）するゴム材等の弾性材で形成したり、あるいは後述の第二の実施形態におけると同様な鍔部２１，２２（図４）を端子保持溝の開口端に形成して、各溝部に各心線３や絶縁シース２や端子７を抜け出し（外れ）なく保持させることが可能である。また、図２において絶縁シース挿通孔１０のみをスリットで開口した絶縁シース挿通溝とすることも可能である。
【００４３】
また、図１（ｂ）において、各心線３の絶縁被覆４の皮剥きは一括皮剥き具（図示せず）を用いて同時に行うことが好ましい。一括ピッチ揃え具６に各心線３を挿通保持させる前に各心線３の絶縁被覆４の皮剥きを行うことも可能である。また、図１（ｃ）において、各心線３への各端子７の圧着は一括圧着具（図示せず）を用いて同時に行うことが好ましい。
【００４４】
また、端子７として圧着端子に代えて圧接端子（図示せず）を用いることも可能である。この場合、図１（ｂ）の心線５の皮剥きは不要である。圧接端子は圧着端子１と同様の前半の電気接触部と、後半の電線圧接部とを有し、電線圧接部は矩形箱状部に前後一対の電線圧接スロットを有したものが、矩形状の端子保持孔１２への挿入性を高める上で好ましい。また、各端子７のピッチＰは同一ピッチでなくとも、コネクタハウジング８の端子収容室のピッチに一致していればよい（特に各端子７の大きさが相違する場合）。これらは後述の第二の実施形態においても同様である。
【００４５】
図１（ａ）において、各心線３は従来同様に色分けされており、一端のアース用ドレイン線３1は導電ゴム等の導電被覆を有するものであることが、他の心線と同様の扱い（皮剥きや端子圧着等）をできる点で好ましい。
【００４６】
図３〜図４は、本発明に係る多心電線のコネクタ嵌め方法の第二の実施形態を示すものである。多心電線１や端子７やコネクタハウジング８は図１の例と同様であるので同じ符号を付して詳細な説明を省略する。
【００４７】
このコネクタ嵌め方法は、上記図１（ａ）における多心電線１の絶縁シース２の皮剥きと、図１（ｂ）における各心線３の絶縁被覆４の皮剥きと、図１（ｃ）における各心線３への各端子７の圧着ないし圧接を行った後、図１（ｃ）の一括ピッチ揃え具６を端子付き多心電線１から外して、図３（ａ）の如く、別の端子嵌め用の一括ピッチ揃え具１４を端子７と絶縁シース２との間で各心線３に長手方向移動（スライド）自在に係合させ、図３（ｂ）の如く、絶縁シース部２を矢印Ａの如く後方に引っ張って、各端子７を一括ピッチ揃え具１４内に進入させ、一括ピッチ揃え具１４で各端子７を位置決め保持した状態で、図３（ｃ）の如く、各端子７をコネクタハウジング８内に挿入するものである。
【００４８】
この一括ピッチ揃え具１４は端子嵌め櫛治具とも呼称され、コネクタハウジング８への端子挿入（端子嵌め）専用のものである点で、図１の実施形態における心線３の皮剥きや端子圧着にも適用できる一括ピッチ揃え具６とは相違する。図１の一括ピッチ揃え具６の使用の有無に係わらず（各心線３を一本ずつ皮剥きし、各心線３に一つずつ端子７を接続した場合でも）、図３（ａ）の状態から一括ピッチ揃え具１４を使用することが可能である。
【００４９】
図４（ａ）〜（ｃ）に端子嵌め専用の一括ピッチ揃え具１４の一形態（図３の一括ピッチ揃え具１４とは若干異なるが原理的には同じである）を示す如く、この一括ピッチ揃え具１４は、アルミ等の金属製ないし合成樹脂製の矩形板状の揃え具本体１５に複数の断面矩形状の心線挿通溝（心線挿通部）１６を等ピッチで並列に形成すると共に、心線挿通溝１６の前半側に一体に心線挿通溝１６よりも幅広な断面矩形状の端子保持溝（端子保持部）１７を等ピッチで並列に形成して構成されるものである。各端子保持溝１７のピッチＰはコネクタハウジング８（図３）の横一列の各端子収容室（図示せず）のピッチと同一に設定されている。
【００５０】
端子保持溝１７は揃え具本体１４の前端１４ａから中央を過ぎた位置まで形成され（端子保持具１７の後端を符号１７ａで示す）、揃え具本体１４の底壁１８から立ち上げられて各端子保持溝１７をなす垂直な両隔壁２０の上端に、端子保持用の水平な鍔部２１，２２が形成されている。図４の一方の鍔部２１は各端子保持溝１７の中央に湾曲状に突出形成されている。図３の鍔部２２は図４の他方の鍔部２２と同様のものが両方に短い突出長で真直に形成されている点で相違している。
【００５１】
図４の中央の鍔部２１と隔壁２０との間の隙間２３から心線挿通溝１６と端子保持溝１７とに同心に心線３が押し（嵌め）込まれて抜け出しなく保持される。図３では一対の鍔部２２（２１，２２）の間の隙間から心線挿通溝１６と端子保持溝１７とに同心に心線３が押し（嵌め）込まれる。鍔部２２間の隙間は心線３の外径よりも若干小さいことが好ましい。図３，図４の心線挿通溝１６は何れも心線３を長手方向移動（スライド）自在に保持し、端子保持溝１７は端子７を長手方向移動（スライド）自在に保持し、両鍔部２１，２２は端子７の上方への抜け出しを阻止する。
【００５２】
図３（ａ）において、各心線３は揃え具本体１４の前後に貫通して挿通される（端子保持溝１７から心線挿通溝１６にかけて挿通される）。図３（ｂ）において、各端子７は先端部を除いて各端子保持溝１７に挿入され、端子７の後端７ａが端子保持溝１７の後段部（後端面）１７ａに当接して、端子７の先端７ｂの位置が規定される。端子保持溝１７には雌端子７の前半の矩形筒状の電気接触部の少なくとも後部が進入し、雄端子（図示せず）の場合は、長手方向中間の矩形箱状部が端子保持溝１７に進入して、各端子が正確なピッチＰで位置決めされる。
【００５３】
図３（ｂ）の状態から各端子７の先端部７ｂをコネクタハウジング８の各端子収容室に初期挿入し、多心電線１の絶縁シース部２を手等で矢印Ｂ方向に前進させることで、各端子７が一括ピッチ揃え具１４の端子保持溝１７に沿って案内されつつ各端子収容室内に完全挿入され、一括ピッチ揃え具１４を各心線３から外すことで、図３（ｃ）のコネクタ嵌め状態（コネクタ付き多心電線）を得る。
【００５４】
端子挿入後に一括ピッチ揃え具１４はコネクタハウジング８と絶縁シース部２との間に位置し、各心線３は径方向に引っ張ることで心線挿通溝１６から容易に離脱される。コネクタハウジング８と各端子７とでコネクタが構成される。図３（ｂ）において、一括ピッチ揃え具１４の前端１４ａをコネクタハウジング８の後端８ａに当接させた状態で各端子７の押し込みを行ってもよい。また、図３（ａ）（ｂ）において一括ピッチ揃え具１４の後方に各心線３が露出しているから、絶縁シース２ではなく各心線３を同時に把持して矢印ＡＢの如く進退させてもよい。
【００５５】
図３（ｃ）のコネクタ（符号８で代用）は各端子７を一段に（横一列に）配置したものであるが、例えば各端子７を二段（横二列）に配置する場合は、二本の多心電線１を二つの一括ピッチ揃え具１４にセットして一括ピッチ揃え具１４ごとに別々に挿入するか、あるいは太い多心電線１の場合は、二つの平行な一括ピッチ揃え具１４に同一の多心電線１の各心線３を二段に分けてセットし、二段の各端子７を各一括ピッチ揃え具１４に沿って同時にコネクタハウジング８内に挿入させる。図４の一括ピッチ揃え具１４は図２の一括ピッチ揃え具６よりも厚みが薄いので、端子７の多段挿入に対応可能である。
【００５６】
なお、図２，図４の各一括ピッチ揃え具６，１４において、断面矩形状ではなく断面円形の端子（図示せず）を用いる場合は、端子保持孔１２や端子保持溝１７を断面円形や半円状に形成する。また、図１（ｃ），図３（ｃ）において、絶縁シース２から両側の心線３が斜めに突出して（傾斜部を符号３ａで示す）若干突出長Ｌが短くなっても、例えば中央の真直な心線３2を撓ませることで、各心線３の突出長さＬを均一化可能である。
【００５７】
また、上記各実施形態においては、一括ピッチ揃え具６，１４内に各心線３を挿通させた後、各心線３を後退させて各端子７を一括ピッチ揃え具内に係合させたが、特に分割式の一括ピッチ揃え具６においては、予め一括ピッチ揃え具内に各端子７を保持させておくことも可能である。上記各実施形態においては、各端子７の一括圧着に続いて端子嵌めを行うことを前提としているので、一括ピッチ揃え具内に各心線３を挿通させた後、各心線３を後退させて各端子７を一括ピッチ揃え具内に係合させている。
【００５８】
図５は、図１（ｃ），図３（ｃ）において端子７のコネクタ嵌めが完了した後、コネクタハウジング８と絶縁シース４との間において、張力確認具２５で各心線３を矢印Ｃの如く径方向に同時に押圧して、コネクタハウジング８への各端子７の係止確認を行う方法を示すものである。
【００５９】
各心線３は各押圧板（押圧部）２６の円弧状の受け溝２６ａで支持され、各押圧板２６は各コイルばね（弾性部材）２７で幅広の共通の基板部２８のボス部２８ａに支持され、コイルばね２７の内側に挿通されたガイドピン２９の一端が押圧板２６の裏面側に固定され、ガイドピン２９の他端は基板部２８の孔部３０をスライド自在に貫通している。並列な各押圧板２６と各コイルばね２７と各ガイドピン２９と基板部２８とで張力確認具２５が構成されている。コイルばね２７の弾性力で端子付きの心線３の抜け方向の引張力を無理なく且つ各心線３に対して均一に作用させることができる。
【００６０】
張力確認具２５で各心線３を径方向に同時に押圧することで、コネクタハウジング８への各端子７の係止の良否が検知される。すなわち、コネクタハウジング８の端子収容室内の可撓性の係止ランス（図示せず）に例えば一つの端子７が係止されていない場合（端子７の挿入不完全や係止ランスの破損等の場合）は、コイルばね２７でその端子７の心線３が押された際に、心線３が山型に弛んで端子７が端子収容室から後方に引き（抜き）出される。その際の押圧板２６とコイルばね２７とガイドピン２９の各変位量は小さい。各端子７の係止が良好である場合は、各心線３が弛むことなく、押圧板２６等が規定量で十分に変位する。
【００６１】
心線押圧時に例えば基板部２８に対して押圧板２６が十分に変位したか否か等を確認するスイッチ（図示せず）と、スイッチに連動して点灯するランプ等（図示せず）とを設けて、作業者に端子係止の良否を報知させることも可能である。
【００６２】
図１，図３の各実施形態によれば、コネクタハウジング８への端子挿入時の端子間のピッチＰが狭まるから、各心線３（図１）を従来のように大きく扇状に拡げる必要がなくなり、心線３の露出長さが短くて済むことで、従来における、絶縁シース２の皮剥きが面倒であるという問題や、特にシールド多心電線１の場合に、絶縁シース２の下側の編組等のシールド導体（図示せず）からの心線３の露出長さＬが長くなって、シールド性が低下するという懸念や、ドレイン線３1のテープ巻き絶縁処理や絶縁チューブ被せ作業に多くの工数を必要とするという問題が解消される。
【００６３】
上記各実施形態の構成は、多心電線のコネクタ嵌め方法に限らず、多心電線用のコネクタ嵌め治具等としても有効なものである。
【図面の簡単な説明】
【００６４】
【図１】（ａ）〜（ｃ）は、本発明に係る多心電線のコネクタ嵌め方法の第一の実施形態を工程順に示す平面図である。
【図２】図１の例で使用した一括ピッチ揃え具の一形態を示す、（ａ）は正面図、（ｂ）は平面図である。
【図３】（ａ）〜（ｃ）は、多心電線のコネクタ嵌め方法の第二の実施形態を工程順に示す平面図である。
【図４】図３の例で使用した一括ピッチ揃え具の一形態を示す、（ａ）は正面図、（ｂ）は平面図、（ｃ）は背面図である。
【図５】コネクタ嵌め後の端子の係止確認方法の一形態を示す正面図である。
【図６】（ａ）（ｂ）は従来の多心電線のコネクタ嵌め方法の一形態を順に示す平面図である。
【図７】従来の多心電線のコネクタ嵌め方法の他の形態を示す分解斜視図である。
【符号の説明】
【００６５】
１          多心電線
２          絶縁シース
３          心線
６，１４    一括ピッチ揃え具
７          端子
８          コネクタハウジング
１０        絶縁シース挿通孔（絶縁シース挿通部）
１１        心線挿通孔（心線挿通部）
１２        端子保持孔（端子保持部）
１６        心線挿通溝（心線挿通部）
１７        端子保持溝（端子保持部）
２１，２２  鍔部
２５        張力確認具
２６        押圧板（押圧部）
２７        コイルばね（弾性部材）
【図１】
2010003430.tif 000003
【図２】
2010003430.tif 000004
【図３】
2010003430.tif 000005
【図４】
2010003430.tif 000006
【図５】
2010003430.tif 000007
【図６】
2010003430.tif 000008
【図７】
2010003430.tif 000009